(57)【要約】【課題】薄型の横押し型２段動作スイッチを提供する。【解決手段】横方向から押圧する押しボタン８に片持ち梁部８ｅを一体に形成し、その片持ち梁部８ｅの自由端を金属カバー５に一体に形成した傾斜部５ｇ表面に接触させて押しボタン８の押し込み動作に合わせて摺動させ、片持ち梁部８ｅの自由端によりドーム状金属ばね６を押し下げて反転させるように構成した横押し型スイッチにおいて、ドーム状金属ばね６の底部側に、外側部及び中心部の２箇所に異なる第１固定接点２ａ及び第２固定接点３ａを設け、第１固定接点２ａにドーム状金属ばね６を常時接触させ、金属カバー５にコモン端子部５ｊを一体に形成し、片持ち梁部８ｅの自由端に金属カバー５とドーム状金属ばね６を電気的に接続するためのコンタクト９を備え、１枚のドーム状金属ばね６を押し下げる構造で、スイッチを２段動作させるようにする。【選択図】図６
2008108655.tif 000002
【特許請求の範囲】
【請求項１】
横方向から押圧する押しボタンに片持ち梁部を一体に形成し、その片持ち梁部の自由端を金属カバーに一体に形成した傾斜部表面に接触させて押しボタンの押し込み動作に合わせて摺動させ、片持ち梁部の自由端によりドーム状金属ばねを押し下げて反転させるように構成した横押し型スイッチにおいて、ドーム状金属ばねの底部側に、外側部及び中心部の２箇所に異なる第１固定接点及び第２固定接点を設け、第１固定接点にドーム状金属ばねを常時接触させ、金属カバーにコモン端子を一体に形成し、片持ち梁部の自由端に金属カバーとドーム状金属ばねを電気的に接続するためのコンタクトを備えたことを特徴とする横押し型２段動作スイッチ。
【請求項２】
金属カバーの傾斜部に１段目の感触を得るための凸部を設ける請求項１に記載の横押し型２段動作スイッチ。
【発明の詳細な説明】
【技術分野】
【０００１】
本発明は、横押し型２段動作スイッチに関する。
【背景技術】
【０００２】
従来よりプッシュスイッチには、可動接点として１枚のドーム状金属ばねを用いる縦押し型（１段動作）スイッチ（例えば特許文献１の図３参照）、この縦押し型スイッチのドーム状金属ばねを２枚、上下２段に配置する縦押し型２段動作スイッチ（例えば特許文献２参照）がある。
【０００３】
縦押し型スイッチにおいては、ドーム状金属ばねに対向する底部側に、外側部及び中心部の２箇所に異なる固定接点があり、ドーム状金属ばねは、外側部の固定接点と常時接触している。上方からの押しボタンの押圧によりドーム状金属ばねを押し下げ操作すると下向きに反転して、中心部の固定接点と接触し、クリック感触と電気信号が得られる。
【０００４】
縦押し型２段動作スイッチにおいては、上下２段のドーム状金属ばねの底部側に、外側部及び、中心と外側部の間部、中心部の３箇所に異なる固定接点（コモン接点、第１選択接点、第２選択接点）があり、１段目（上段）のドーム状金属ばねは、コモン接点と常時接触し、２段目（下段）のドーム状金属ばねは、第１選択接点と常時接触している。上方からの押しボタンの押圧により１段目のドーム状金属ばねを押し下げ操作すると下向きに反転して、２段目のドーム状金属ばねと接触し、１段目のクリック感触と電気信号が得られ、さらに押し下げると２段目のドーム状金属ばねが下向きに反転して、第２選択接点と接触し、２段目のクリック感触と電気信号が得られる。
【０００５】
また、従来よりプッシュスイッチには、上記縦押し型スイッチの押しボタンを横方向から押圧する押しボタンに代えると共に、横方向からの押しボタンの押圧を下直角方向に変換する機構を付け加えた横押し型（１段動作）スイッチ（例えば特許文献３参照）があり、縦押し型スイッチに比べ高さが抑えられて、薄形になっている。
【０００６】
横押し型スイッチにおいては、ドーム状金属ばねの底部側に、外側部及び中心部の２箇所に異なる固定接点があり、ドーム状金属ばねは、外側部の固定接点と常時接触している。横方向から押圧する押しボタンに片持ち梁部を一体に形成し、その片持ち梁部の自由端を金属カバーに一体に形成した傾斜部表面に接触させて押しボタンの押し込み動作に合わせて摺動させ、片持ち梁部の自由端によりドーム状金属ばねを押し下げて反転させることにより、ドーム状金属ばねが中心部の固定接点と接触し、クリック感触と電気信号が得られる。
【０００７】
このような横押し型スイッチは、例えば携帯電話機、携帯オーディオプレーヤ、デジタルカメラ等の側面操作用の操作スイッチとして用いられているが、この種電子機器の小型・薄形化に加え、その多機能化が進む中で、２段動作のものが要求されている。
【特許文献１】特開２００１−８４８６５号公報
【特許文献２】特開２００５−２１６８６８号公報
【特許文献１】特開２００５−１２２９８９号公報
【発明の開示】
【発明が解決しようとする課題】
【０００８】
横押し型２段動作スイッチは、従来の横押し型スイッチに、ドーム状金属ばねを２枚、上下２段に配置すると共に、上下２段のドーム状金属ばねの底部側に、外側部及び、中心と外側部の間部、中心部の３箇所に異なる固定接点（コモン接点、第１選択接点、第２選択接点）を設け、１段目（上段）のドーム状金属ばねを、コモン接点と常時接触させ、２段目（下段）のドーム状金属ばねを、第１選択接点と常時接触させることにより構成することができる。しかしながら、上下２段に配置した２枚のドーム状金属ばねを押し下げる構造では、１枚のドーム状金属ばねを押し下げる１段動作の少なくとも２倍の押し下げストロークが必要になるので、横押し型とはいえ、薄形機能が大きく損なわれるという問題があった。
【０００９】
本発明は、上記のような問題に鑑みてなされたもので、その目的は、薄形の横押し型２段動作スイッチを提供することにある。
【課題を解決するための手段】
【００１０】
本発明の横押し型２段動作スイッチは、横方向から押圧する押しボタンに片持ち梁部を一体に形成し、その片持ち梁部の自由端を金属カバーに一体に形成した傾斜部表面に接触させて押しボタンの押し込み動作に合わせて摺動させ、片持ち梁部の自由端によりドーム状金属ばねを押し下げて反転させるように構成した横押し型スイッチにおいて、ドーム状金属ばねの底部側に、外側部及び中心部の２箇所に異なる第１固定接点及び第２固定接点を設け、第１固定接点にドーム状金属ばねを常時接触させ、金属カバーにコモン端子を一体に形成し、片持ち梁部の自由端に金属カバーとドーム状金属ばねを電気的に接続するためのコンタクトを備えたことを特徴とする。
【００１１】
本発明の横押し型２段動作スイッチにおいては、横方向からの押しボタンの押圧によりコンタクトをドーム状金属ばねに接触させて、コンタクトを介して金属カバーとドーム状金属ばねを電気的に接続させることで、１段目の電気信号が得られ、その後、ドーム状金属ばねを下向きに反転させて、第２固定接点と接触させることで、２段目のクリック感触と電気信号が得られる。このように１枚のドーム状金属ばねを押し下げる構造でありながら、スイッチを２段動作させるようにしているので、スイッチの高さを抑えることができる。
【００１２】
また、本発明の横押し型２段動作スイッチにおいては、金属カバーの傾斜部に１段目の感触を得るための凸部を設けることが好ましい。
【発明の効果】
【００１３】
本発明の横押し型２段動作スイッチによれば、１枚のドーム状金属ばねを押し下げる構造でありながら、スイッチを２段動作させるようにしているので、薄型の横押し型２段動作スイッチを得ることができる。また、ドーム状金属ばねを１枚しか使用しないので、部品点数が少なくなり、組み立て容易で低コストの横押し型２段動作スイッチを得ることができる。
【発明を実施するための最良の形態】
【００１４】
以下、本発明の一実施の形態を図面に基づいて説明する。図１は本発明の一実施の形態による横押し型２段動作スイッチの外観を示す斜視図、図２は本発明の一実施の形態による横押し型２段動作スイッチの外観を示す他の斜視図、図３は本発明の一実施の形態による横押し型２段動作スイッチの外観を示す平面図、図４は本発明の一実施の形態による横押し型２段動作スイッチの外観を示す底面図、図５は本発明の一実施の形態による横押し型スイッチ２段動作の内部構造を示すカバー除去状態の平面図、図６は本発明の一実施の形態による横押し型２段動作スイッチの内部構造を示す断面図、図７は本発明の一実施の形態による横押し型２段動作スイッチの組み立て図である。
【００１５】
図１〜図７において、本発明の一実施の形態による横押し型２段動作スイッチ１は、インサート成形により第１固定接点端子２及び第２固定接点端子３と一体に形成する合成樹脂製で絶縁性を持ったボディ４と、ボディ４とで直方体形状のスイッチケースを形成する金属カバー５と、可動接点として用いる１枚のドーム状金属ばね６と、ドーム状金属ばね押え用の粘着テープ７と、横方向から押圧してスイッチ操作を行うための合成樹脂製で絶縁性を持った押しボタン８と、金属カバー５とドーム状金属ばね６を電気的に接続するためのコンタクト９と、から構成されている。
【００１６】
ボディ４は、上面開放の箱型に形成され、その内底面に可動接点収納凹部４ａを設けている。第１固定接点端子２及び第２固定接点端子３は、良導電性の金属薄板を打ち抜き及び曲げ加工することによって形成され、ボディ４の底部に絶縁状態で埋め込まれている。第１固定接点端子２は、その一部を可動接点収納凹部４ａの底面外側部に露出して、第１固定接点２ａ（第１選択接点）を形成している。第２固定接点端子３は、その一部を可動接点収納凹部４ａの底面中心部に露出して、第２固定接点３ａ（第２選択接点）を形成している。また、第１固定接点端子２及び第２固定接点端子３は、その一部をボディ４の外底面に略面一に露出して、横押し型２段動作スイッチ１の第１外部接続端子２ｂ及び第２外部接続端子３ｂを形成している。第１外部接続端子２ｂ及び第２外部接続端子３ｂは、図示しないプリント回路基板に半田付けで面実装される。
【００１７】
また、ボディ４は、前後左右４側壁の１つ（本実施の形態では左側壁）に押しボタン突出用の切り欠き４ｂを設け、その切り欠き４ｂと対向するよう右側壁には押しボタン復帰板ばね突入用の切り欠き４ｃを設け、上部４隅にはカバー位置決め用の突起４ｄを上方へ突出して設け、押しボタン突出用の切り欠き４ｂの外側にある左側壁外面にはカバー固定用の第１係止爪４ｅを外側へ突出して設け、前後側壁外面の後側端部にはカバー固定用の第２係止爪４ｆを外側へ突出して設けている。
【００１８】
金属カバー５は、ボディ４の開放上面を覆ってスイッチケースを形成するもので、良導電性の金属板を打ち抜き及び曲げ加工することによって形成され、４隅部にカバー位置決め用の切り欠き５ａを設け、左側縁の両端部からカバー固定用のばね性を持った第１係止片５ｂを下方へ延出して設け、第１係止片５ｂとでボディ４を挟持するよう右側縁の両端部からばね性を持った突片５ｃを下方へ延出して設け、前後側縁からボディ４を挟持するようカバー固定用のばね性を持った第２係止片５ｄを下方へ延出して設け、右側縁の中央部からばね連設片５ｅを下方へ延出して設け、ばね連設片５ｅの両側縁から一対の押しボタン復帰板ばね片５ｆを金属カバー５の右端部下側へ平面視ハの字状に延出して設けている。
【００１９】
横押し型２段動作スイッチ１の組み立て最終段階にボディ４の開放上面を金属カバー５で覆う際、金属カバー５の切り欠き５ａをボディ４の突起４ｄに嵌合させることにより、カバー５がボディ４の開放上面で位置決めされる。また、金属カバー５の第１係止片５ｂは、その下部がボディ４の第１係止爪４ｅの上部に付けたテーパで外側に押し広げられて第１係止爪４ｅの外面に乗り上げ、第１係止爪４ｅを乗り越えた時点で元に戻り、ボディ４の切り欠き４ｂの外側にある左側壁外面を押圧しながら重なり合い、第１係止爪４ｅに下側から係止すると共に、ボディ４の切り欠き４ｃの外側にある右側壁外面を押圧しながら重なり合う突片５ｃとで、ボディ４を左右横外側より挟持している。さらに、第２係止片５ｄは、その下部がボディ４の第２係止爪４ｆの上部に付けたテーパで外側に押し広げられて第２係止爪４ｆの外面に乗り上げ、第２係止爪４ｆを乗り越えた時点で元に戻り、ボディ４の前後側壁外面を押圧しながら重なり合い、第２係止爪４ｆに下側から係止すると共に、ボディ４を前後横外側より挟持している。これらにより、カバー５がボディ４の開放上面に固定される。
【００２０】
上記のようにボディ４の開放上面を金属カバー５で覆う際、ばね連設片５ｅは、一対の押しボタン復帰板ばね片５ｆを金属カバー５の右外側に配置するよう、金属カバー５の右側縁の中央部から一直線状に延ばされ、カバー５をボディ４の開放上面に固定した後、金属カバー５の右側縁に沿って下方に折り曲げることにより、一対の押しボタン復帰板ばね片５ｆをボディ４の切り欠き４ｃを通して金属カバー５の右端部下側（押しボタン８の奥側）に配置する。
【００２１】
また、金属カバー５は、横方向からの押しボタン８の押圧を下直角方向に変換するために、平板状の金属カバー５の中央部を下向きに切り起こして設ける傾斜部５ｇと、横押し型２段動作スイッチ１の１段目のクリック感触を得るために、傾斜部５ｇの基部（上部）を断面山形状に曲げて設ける凸部５ｈと、金属カバー５を図示しないプリント回路基板に接続するために、第１係止片５ｂの下部をさらに下方へ突出して設ける横押し型２段動作スイッチ１の外部接続端子であるコモン端子５ｊと、を一体に形成している。コモン端子５ｊは、その先端面がボディ４の外底面に略面一に露出されて、図示しないプリント回路基板に半田付けで面実装される。
【００２２】
ドーム状金属ばね６は、良導電性の金属薄板をドーム状に打ち抜き加工することによって形成され、ボディ４の可動接点収納凹部４ａ内に配置され、ドーム状金属ばね６の底部側に、外側部及び中心部の２箇所に異なる第１固定接点２ａ及び第２固定接点３ａが設けられている。ドーム状金属ばね６は、その外周部が第１固定接点２ａと常時接触し、中心部が第２固定接点３ａと離間対向している。
【００２３】
粘着テープ７は、ポリイミドやポリアミド等の絶縁材料からなる可撓性を持ったテープ基材の裏面に粘着層を形成したもので、その周囲をボディ４の可動接点収納凹部４ａの外側にある内底面に貼り付けて、ドーム状金属ばね６を上から押さえ、ボディ４の可動接点収納凹部４ａ内に収容保持すると共に、可動接点収納凹部４ａを密閉して防塵性をもたせ、ドーム状金属ばね６と第１固定接点２ａ及び第２固定接点３ａの間の接触信頼性を向上させている。また、粘着テープ７の中央部には表裏貫通の貫通孔７ａを設け、ドーム状金属ばね６の中心部金属表面を粘着テープ７の表面側に露出させている。
【００２４】
押しボタン８は、平面視略凸形の異形板でなる胴部８ａと、胴部８ａの幅狭側の端部に一体に形成する操作部８ｂと、胴部８ａの幅狭側の端部に一体に形成する押しボタン復帰板ばね係止用の一対の突起部８ｃと、胴部８ａを環状にするようその胴部８ａに開設する平面視略凸形の表裏貫通の貫通孔８ｄと、胴部８ａの幅狭側の端部から貫通孔８ｄ内に胴部８ａよりやや薄い厚みで延出して設ける可撓性を持った片持ち梁部８ｅと、片持ち梁部８ｅの自由端に一体に形成する中間部が括れた断面略ひょうたん形の可動接点押し下げ部８ｆと、を備えている。
【００２５】
コンタクト９は、良導電性の金属薄板をＣ形に曲げ加工して形成され、押しボタン８の可動接点押し下げ部８ｆの端部表面に嵌合されて一体に取り付けられている。
【００２６】
上記のようにコンタクト９を取り付けた押しボタン８は、胴部８ａの幅狭部をボディ４の切り欠き４ｂに挿通させて、操作部８ｂをボディ４（スイッチケース）の左横外側に突き出すと共に、胴部８ａの幅広部をボディ４の左側壁と金属カバー５の一対の押しボタン復帰板ばね片５ｆの間に挟んだ状態で、胴部８ａの幅広部をボディ４内の粘着テープ７の上に載置し、胴部８ａの幅広部の両側面をボディ４の前後側壁内面に摺動自在に接触させ、また、金属カバー６の傾斜部５ｇを片持ち梁部８ｅより奥側で貫通孔８ｄ内に突き出した状態で、胴部８ａの幅広部上面を金属カバー６で摺動自在に押えて、ボディ４（スイッチケース）に横方向（水平方向）へスライド移動自在に支持されて取り付けられている。この取り付け状態では、押しボタン８の一対の突起部８ｃの間にある胴部８ａの幅広側の端面中間部に金属カバー５の一対の押しボタン復帰板ばね片５ｆの先端が常時押し当てられ、押しボタン８を復帰方向（図５，図６の左方向）に常時付勢している。また、押しボタン８の幅狭部と幅狭部の段差面がボディ４の押しボタン突出用の切り欠き４ｂの外側にある左側壁内面と対向すると共に、押しボタン８の突起部８ｃの外側に一段後退してある胴部８ａの幅広側の端面両端部がボディ４の押しボタン復帰板ばね突入用の切り欠き４ｃの外側にある右側壁内面と対向している。
【００２７】
上記のように構成された横押し型２段動作スイッチ１の組み立ては、図７に示すように、ボディ４をセットし、ボディ４の内底面にある可動接点収納凹部４ａ内にドーム状金属ばね６を設置し、設置したドーム状金属ばね６を粘着テープ７により上から押さえてボディ４の可動接点収納凹部４ａ内に収容保持し、押しボタン８の胴部８ａの幅狭部をボディ４の切り欠き４ｂに嵌合させながら、胴部８ａの幅広部をボディ４の左側壁と金属カバー５の一対の押しボタン復帰板ばね片５ｆの間からボディ４内の粘着テープ７の上に重ねて設置し、ばね連設片５ｅを右側縁の中央部から一直線状に延ばした半展開状態の金属カバー５を上方からボディ４に嵌合して、ボディ４の開放上面を覆っって閉じた後、金属カバー５のばね連設片５ｅを下方に折り曲げて、一対の押しボタン復帰板ばね片５ｆをボディ４の切り欠き４ｃを通して押しボタン８の奥側に設置して完了する。
【００２８】
図８は本発明の一実施の形態による横押し型２段動作スイッチの１段目の動作状態を示す断面図、図９は本発明の一実施の形態による横押し型２段動作スイッチの２段目の動作状態を示す断面図である。次に、図６，図８，図９に基づいて本発明の一実施の形態による横押し型２段動作スイッチ１の動作を説明する。
【００２９】
図６に示すように、押しボタン８が操作されていない初期状態では、押しボタン８は、押しボタン復帰板ばね片５ｆのばね力によって、押しボタン８の幅狭部と幅狭部の段差面がボディ４の押しボタン突出用の切り欠き４ｂの外側にある左側壁内面に突き当たる初期位置に位置保持され、この初期位置において、押しボタン８の片持ち梁部８ｅの自由端にあるコンタクト９が、金属カバー５の傾斜部５ｇの基部（上部）にある凸部５ｈ表面を押圧しながら接触すると共に、粘着テープ７の表面側に貫通孔７ａを介して露出しているドーム状金属ばね６の中心部表面に離間対向する。
【００３０】
図６に示した初期状態から押しボタン８の操作部８ｂを横方向から右方向に押圧すると、図８に示すように、押しボタン８は、初期位置から押しボタン復帰板ばね片５ｆのばね力に抗して右方向へスライドしながら押し込まれる。この押しボタン８の押し込み動作に合わせて、押しボタン８の片持ち梁部８ｅの自由端にあるコンタクト９が、片持ち梁部８ｅを撓み変形させながら金属カバー５の傾斜部５ｇの表面上をその基部にある凸部５ｈを乗り越えて先端部（下部）に向かって摺動し（横方向からの押しボタン９の押圧を下直角方向に変換し）、粘着テープ７の表面側に貫通孔７ａを介して露出しているドーム状金属ばね６の中心部表面に接触する。
【００３１】
これによって、金属カバー５とドーム状金属ばね６がコンタクト９を介して導通接続されるため、金属カバー５と導通のあるコモン端子５ｊと、ドーム状金属ばね６と第１固定接点２ａ及び第１固定接点端子２を介して導通のある第１外部接続端子２ｂとが導通して、横押し型２段動作スイッチ１の１段目のスイッチがオンになり、１段目の電気信号を得る。
【００３２】
また、コンタクト９がドーム状金属ばね６に接触する（１段目のスイッチがオン状態になる）直前に金属カバー５の傾斜部５ｇの基部にある凸部５ｈを乗り越えることによって、横押し型２段動作スイッチ１の１段目のクリック感触を得ることができる。
【００３３】
１段目のスイッチがオンになった時点から続いて押しボタン８の操作部８ｂを横方向から右方向に押圧すると、図９に示すように、押しボタン８は、押しボタン復帰板ばね片５ｆのばね力に抗して右方向へスライドしながらさらに押し込まれる。この押しボタン８のさらなる押し込み動作に合わせて、押しボタン８の片持ち梁部８ｅの自由端にあるコンタクト９が、片持ち梁部８ｅを撓み変形させながら金属カバー５の傾斜部５ｇの表面上を先端部（下部）に向かってさらに摺動し、接触しているドーム状金属ばね６の中心部表面を押し下げ操作する。
【００３４】
これによって、ドーム状金属ばね６は下向きに反転して第２固定接点３ａと接触し、ドーム状金属ばね６と第２固定接点３ａが導通接続されるため、ドーム状金属ばね６とコンタクト９及び金属カバー５を介して導通のあるコモン端子５ｊと、第２固定接点３ａと第２固定接点端子３を介して導通のある第２外部接続端子３ｂとが導通して、横押し型２段動作スイッチ１の２段目のスイッチが１段目のスイッチに続いてオンになり、２段目の電気信号を得る。
【００３５】
また、２段目のスイッチがオンになるときのドーム状金属ばね６の反転動作によって、２段動作スイッチ１の２段目のクリック感触を得ることができる。
【００３６】
そして、押しボタン８は、２段目のスイッチがオンになった直後に、押しボタン８の突起部８ｃの外側に一段後退してある胴部８ａの幅広側の端面両端部がボディ４の押しボタン復帰板ばね突入用の切り欠き４ｃの外側にある右側壁内面に突き当たり、それ以上の過剰な押し込み動作（オーバーストローク）が規制され、押しボタン８の操作部８ｂが横方向から右方向に押圧されて、ドーム状金属ばね６と第２固定接点３ａとが接触している間は２段動作スイッチ１の１段目のスイッチ及び２段目のスイッチが共にオン状態を保つ。
【００３７】
この横押し型２段動作スイッチ１の１段目のスイッチ及び２段目のスイッチが共にオンになっている状態で、横方向からの押しボタン８の操作部８ｂの押圧を除くと、押しボタン８の押し込み動作によって蓄積された押しボタン復帰板ばね片５ｆのばね力に押しボタン８が初期位置に押し戻されると共に、ドーム状金属ばね６がそのばね性によって元のドーム状に戻り、図６に示した初期状態に復帰する。この初期状態への復帰時に、ドーム状金属ばね６と第２固定接点３ａとの接触が断たれ時点で２段目のスイッチがオフになり、コンタクト９とドーム状金属ばね６との接触が断たれた時点で１段目のスイッチがオフになる。
【００３８】
上記から明らかなように、本発明の一実施の形態による横押し型２段動作スイッチ１は、横方向から押圧する押しボタン８に片持ち梁部８ｅを一体に形成し、その片持ち梁部８ｅの自由端を金属カバー５に一体に形成した傾斜部５ｇ表面に接触させて押しボタン８の押し込み動作に合わせて摺動させ、片持ち梁部８ｅの自由端によりドーム状金属ばね６を押し下げて反転させるように構成した横押し型スイッチにおいて、ドーム状金属ばね６の底部側に、外側部及び中心部の２箇所に異なる第１固定接点２ａ及び第２固定接点３ａを設け、第１固定接点２ａにドーム状金属ばね６を常時接触させ、金属カバー５にコモン端子５ｊを一体に形成し、片持ち梁部８ｅの自由端に金属カバー５とドーム状金属ばね６を電気的に接続するためのコンタクト９を備えており、横方向からの押しボタン８の押圧によりコンタクト９をドーム状金属ばね６に接触させて、コンタクト９を介して金属カバー５とドーム状金属ばね６を電気的に接続させることで、１段目の電気信号が得られ、その後、ドーム状金属ばね６を下向きに反転させて、第２固定接点３ａと接触させることで、２段目のクリック感触と電気信号が得られる。このように１枚のドーム状金属ばね６を押し下げる構造でありながら、スイッチを２段動作させることができるので、スイッチの高さを抑えることができる。
【００３９】
また、本発明の一実施の形態による横押し型２段動作スイッチ１においては、金属カバー５の傾斜部５ｇに設けた凸部５ｈによって、１段目の感触を得ることができる。
【００４０】
従って、本発明の一実施の形態による横押し型２段動作スイッチ１は、１枚のドーム状金属ばね６を押し下げる構造でありながら、スイッチを２段動作させるようにしているので、薄型の横押し型２段動作スイッチになっている。また、ドーム状金属ばね６を１枚しか使用しないので、部品点数が少なくなり、組み立て容易で低コストの横押し型２段動作スイッチになっている。
【００４１】
以上、本実施の形態は本発明の良好な一実施の形態を示したが、本発明はそれに限定されることなく、その要旨を逸脱しない範囲内で種々変形実施することができるものである。
【図面の簡単な説明】
【００４２】
【図１】本発明の一実施の形態による横押し型２段動作スイッチの外観を示す斜視図である。
【図２】本発明の一実施の形態による横押し型２段動作スイッチの外観を示す他の斜視図である。
【図３】本発明の一実施の形態による横押し型２段動作スイッチの外観を示す平面図である。
【図４】本発明の一実施の形態による横押し型２段動作スイッチの外観を示す底面図である。
【図５】本発明の一実施の形態による横押し型スイッチ２段動作の内部構造を示すカバー除去状態の平面図である。
【図６】本発明の一実施の形態による横押し型２段動作スイッチの内部構造を示す断面図である。
【図７】本発明の一実施の形態による横押し型２段動作スイッチの組み立て図である。
【図８】本発明の一実施の形態による横押し型２段動作スイッチの１段目の動作状態を示す断面図。
【図９】本発明の一実施の形態による横押し型２段動作スイッチの２段目の動作状態を示す断面図である。
【符号の説明】
【００４３】
１  横押し型２段動作スイッチ
２ａ  第１固定接点
３ａ  第２固定接点
４  ボディ
５  金属カバー
５ｇ  傾斜部
５ｈ  凸部
５ｊ  コモン端子部
６  ドーム状金属ばね
８  押しボタン
８ｅ  片持ち梁部
９  コンタクト
【図１】
2008108655.tif 000003
【図２】
2008108655.tif 000004
【図３】
2008108655.tif 000005
【図４】
2008108655.tif 000006
【図５】
2008108655.tif 000007
【図６】
2008108655.tif 000008
【図７】
2008108655.tif 000009
【図８】
2008108655.tif 000010
【図９】
2008108655.tif 000011